【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
ユーザのための睡眠改善を促進するための前記睡眠スコア査定システムの作動方法であって、前記方法は、
睡眠スコア査定システムが、１つ又は複数のセンサから、ユーザの第１の睡眠セッションに関連付けられた第１のユーザデータを受信するステップと、
前記睡眠スコア査定システムが、前記第１の睡眠セッション中に発生した少なくとも１つの介入を決定するステップであって、前記決定が前記第１のユーザデータを利用することを含み、前記少なくとも１つの介入が、少なくとも１つの可聴音、少なくとも１つの視覚信号、少なくとも１つの触覚信号、及び少なくとも１つの環境介入のうちの１つを含む、決定するステップと、
前記睡眠スコア査定システムが、前記第１のユーザデータに基づいて、前記第１の睡眠セッションに関連付けられた１つ又は複数の第１の睡眠メトリックを決定するステップと、
前記睡眠スコア査定システムが、１つ又は複数の基準睡眠メトリックを決定するステップであって、前記１つ又は複数の基準睡眠メトリックが、１つ又は複数の前の睡眠セッションから得られた前のユーザデータに基づく、決定するステップと、
前記睡眠スコア査定システムが、前記第１の睡眠セッションに関連する１つ又は複数の第１の即値を決定するステップであって、前記１つ又は複数の第１の即値の前記決定が、前記１つ又は複数の第１の睡眠メトリックと前記１つ又は複数の基準睡眠メトリックとの比較に基づき、正又は負の値である１つ又は複数の控除が前記１つ又は複数の第１の即値に対応する、決定するステップと、
前記睡眠スコア査定システムが、前記１つ若しくは複数の控除を初期睡眠セッションスコア値に加算することによって、又は前記１つ若しくは複数の控除を初期睡眠セッションスコア値から減算することによって、前記第１の睡眠セッションに関連する前記１つ又は複数の第１の即値に基づいて第１の睡眠セッションスコア値を生成するステップと、
前記睡眠スコア査定システムが、前記第１の睡眠セッションスコア値に少なくとも一部基づいて、前記ユーザの後続の睡眠セッションを改善するために提供されるべき第１の介入を決定するステップであって、前記第１の睡眠セッションスコア値が睡眠セッションスコア閾値より小さいときに、前記第１の介入が必要であると決定することを含み、前記提供されるべき第１の介入が、前記後続の睡眠セッション中に聴覚刺激デバイスによって提供されるべき少なくとも１つの可聴音、前記後続の睡眠セッション中に視覚刺激デバイスによって提供されるべき少なくとも１つの視覚信号、前記後続の睡眠セッション中に触覚刺激デバイスによって提供されるべき少なくとも１つの触覚信号、及び前記後続の睡眠セッション中に環境制御デバイスによって提供されるべき少なくとも１つの環境介入のうちの１つを含む、決定するステップと、
前記睡眠スコア査定システムが、前記第１の睡眠セッションスコア値及び前記１つ又は複数の第１の睡眠メトリックを、出力デバイスを介して提示させるステップと、
を有する、方法。
【請求項２】
前記１つ又は複数のセンサから、前記第１の睡眠セッションに関連付けられた第３のユーザデータを受信するステップと、
前記第３のユーザデータに基づいて、前記第１の睡眠セッションに関連付けられた１つ又は複数の第２の睡眠メトリックを決定するステップと、
前記第３のユーザデータに基づいて、前記第１の睡眠セッション中に発生した１つ又は複数の睡眠介入を決定するステップと、
前記第１の睡眠セッションに関連する１つ又は複数の第２の即値を決定するステップであって、前記第１の睡眠セッションスコア値が、前記１つ又は複数の第２の即値にさらに基づく、決定するステップと、
をさらに有する、請求項１に記載の方法。
【請求項３】
前記１つ又は複数の睡眠介入が、
前記第１の睡眠セッション中に聴覚刺激デバイスによって提供される少なくとも１つの可聴音と、
前記第１の睡眠セッション中に視覚刺激デバイスによって提供される少なくとも１つの視覚信号と、
環境制御デバイスによって提供される少なくとも１つの環境介入と、
のうちの少なくとも１つを含む、請求項２に記載の方法。
【請求項４】
第１の睡眠セッションスコア閾値を受信するステップと、
前記第１の睡眠セッションスコア値及び前記第１の睡眠セッションスコア閾値に基づいて、前記ユーザの後続の睡眠セッションを改善するために提供されるべき第１の睡眠介入を決定するステップと、
前記第１の睡眠介入を提供するための少なくとも１つの睡眠介入デバイスを決定するステップと、
前記第１の睡眠介入が前記第１のユーザデータに基づいて第１の時間に実行されるための第１の命令を生成するステップと、
前記第１の時間の前に、前記第１の命令を前記少なくとも１つの睡眠介入デバイスに送信するステップと、
をさらに有する、請求項１に記載の方法。
【請求項５】
前記１つ又は複数の第１の睡眠メトリックが、
前記第１の睡眠セッション中に発生した少なくとも１つの睡眠段階の少なくとも１つの第１の時間持続期間に関連付けられた第１の情報と、
前記ユーザが前記第１の睡眠セッション中に覚醒期間を経験した第１の時間量に関連付けられた第２の情報と、
睡眠分布イベントの第１の数と、
前記第１の睡眠セッションについての入眠待機時間に関連付けられた第２の時間量を示す第３の情報と、
前記第１の睡眠セッションに関連付けられたおよその起床時間を示す第４の情報と、
のうちの少なくとも１つを含む、請求項１に記載の方法。
【請求項６】
前記１つ又は複数の基準睡眠メトリックを受信するステップが、
ユーザ睡眠履歴データベースから、前記１つ又は複数の前の睡眠セッションから得られた前記前のユーザデータを受信するステップと、
基準睡眠データベースから、前記ユーザに関連付けられた１つ又は複数の睡眠パラメータを表す基準ユーザデータを受信するステップと、
のうちの少なくとも１つをさらに有する、請求項１に記載の方法。
【請求項７】
ユーザ履歴データベースを用いて、前記第１のユーザデータ、前記１つ又は複数の睡眠メトリック、及び前記第１の睡眠セッションスコア値のうちの少なくとも１つを記憶するステップであって、前記１つ又は複数の基準睡眠メトリックが、前記第１のユーザデータ、前記１つ又は複数の睡眠メトリック、及び前記第１の睡眠セッションスコア値のうちの前記少なくとも１つに、少なくとも部分的に基づいて更新される、記憶するステップをさらに有する、請求項１に記載の方法。
【請求項８】
前記ユーザに提供される少なくとも１つのユーザ質問に対するフィードバックを表すフィードバックデータを受信するステップと、
前記フィードバックデータに基づいて、１つ又は複数の第２の即値を決定するステップであって、前記第１の睡眠セッションスコア値が、前記１つ又は複数の第２の即値にさらに基づく、決定するステップと、
１つ又は複数の後続の睡眠セッションスコア値の生成に適用されるべき前記１つ又は複数の第２の即値を記憶するステップと、
をさらに有する、請求項１に記載の方法。
【請求項９】
前記１つ又は複数の第２の即値に基づいて、前記１つ又は複数の後続の睡眠セッションスコア値を改善するために使用されるべき１つ又は複数の睡眠介入を決定するステップと、
少なくとも１つの睡眠介入デバイスに、前記ユーザの第２の睡眠セッション中に前記１つ又は複数の睡眠介入を提供させるステップと、
をさらに有する、請求項８に記載の方法。
【請求項１０】
ユーザのための睡眠改善を促進するシステムであって、前記システムが、
メモリと、
通信回路と、
前記メモリによって記憶された機械可読命令によって、
１つ又は複数のセンサから、ユーザの第１の睡眠セッションに関連付けられた第１のユーザデータを受信し、
前記第１の睡眠セッション中に発生した少なくとも１つの介入を決定し、前記決定が前記第１のユーザデータの利用を含み、前記少なくとも１つの介入が、少なくとも１つの可聴音、少なくとも１つの視覚信号、少なくとも１つの触覚信号、及び少なくとも１つの環境介入のうちの１つを含み、
前記第１のユーザデータに基づいて、前記第１の睡眠セッションに関連付けられた１つ又は複数の第１の睡眠メトリックを決定し、
１つ又は複数の基準睡眠メトリックを決定し、前記１つ又は複数の基準睡眠メトリックが、１つ又は複数の前の睡眠セッションから得られた前のユーザデータに基づき、
前記第１の睡眠セッションに関連する１つ又は複数の第１の即値を決定し、前記１つ又は複数の第１の即値の前記決定が、前記１つ又は複数の第１の睡眠メトリックと前記１つ又は複数の基準睡眠メトリックとの比較に基づき、正又は負の値である１つ又は複数の控除が前記１つ又は複数の第１の即値に対応し、
前記第１の睡眠セッションに関連する前記１つ又は複数の第１の即値に基づいて第１の睡眠セッションスコア値を生成し、前記生成が、１つ若しくは複数の控除の初期睡眠セッションスコア値への加算、又は前記１つ若しくは複数の控除の初期睡眠セッションスコア値からの減算を含み、
前記第１の睡眠セッションスコア値に少なくとも一部基づいて、前記ユーザの後続の睡眠セッションを改善するために提供されるべき第１の介入を決定し、前記第１の睡眠セッションスコア値が睡眠セッションスコア閾値より小さいときに、前記第１の介入が必要であることの決定を含み、前記提供されるべき第１の介入が、前記後続の睡眠セッション中に聴覚刺激デバイスによって提供されるべき少なくとも１つの可聴音、前記後続の睡眠セッション中に視覚刺激デバイスによって提供されるべき少なくとも１つの視覚信号、前記後続の睡眠セッション中に触覚刺激デバイスによって提供されるべき少なくとも１つの触覚信号、及び前記後続の睡眠セッション中に環境制御デバイスによって提供されるべき少なくとも１つの環境介入のうちの１つを含み、
前記第１の睡眠セッションスコア値及び前記１つ又は複数の第１の睡眠メトリックを、出力デバイスを介して提示させる、
１つ又は複数のプロセッサと、
を備える、システム。
【請求項１１】
前記１つ又は複数のプロセッサが、前記機械可読命令によって、さらに、
前記１つ又は複数のセンサから、前記第１の睡眠セッションに関連付けられた第３のユーザデータを受信し、
前記第３のユーザデータに基づいて、前記第１の睡眠セッションに関連付けられた１つ又は複数の第２の睡眠メトリックを決定し、
前記第３のユーザデータに基づいて、前記第１の睡眠セッション中に発生した１つ又は複数の睡眠介入を決定し、
前記第１の睡眠セッションに関連する１つ又は複数の第２の即値を決定し、前記第１の睡眠セッションスコア値が、前記１つ又は複数の第２の即値にさらに基づく、請求項１０に記載のシステム。
【請求項１２】
前記少なくとも１つの睡眠介入デバイスが、
前記第１の睡眠セッション中に聴覚刺激デバイスによって提供される少なくとも１つの可聴音と、
前記第１の睡眠セッション中に視覚刺激デバイスによって提供される少なくとも１つの視覚信号と、
環境制御デバイスによって提供される少なくとも１つの環境介入と、
のうちの少なくとも１つを有する、請求項１１に記載のシステム。
【請求項１３】
前記１つ又は複数のプロセッサが、前記機械可読命令によって、さらに、
第１の睡眠セッションスコア閾値を受信し、
前記第１の睡眠セッションスコア値及び前記第１の睡眠セッションスコア閾値に基づいて、前記ユーザの後続の睡眠セッションを改善するために提供されるべき第１の睡眠介入を決定し、
前記第１の睡眠介入を提供するための少なくとも１つの睡眠介入デバイスを決定し、
前記第１の睡眠介入が前記第１のユーザデータに基づいて第１の時間に実行されるための第１の命令を生成し、
前記第１の時間の前に、前記第１の命令を前記少なくとも１つの睡眠介入デバイスに送信する、請求項１０に記載のシステム。
【請求項１４】
前記１つ又は複数の第１の睡眠メトリックが、
前記第１の睡眠セッション中に発生した少なくとも１つの睡眠段階の少なくとも１つの第１の時間持続期間に関連付けられた第１の情報と、
前記ユーザが前記第１の睡眠セッション中に覚醒期間を経験した第１の時間量に関連付けられた第２の情報と、
睡眠分布イベントの第１の数と、
前記第１の睡眠セッションについての入眠待機時間に関連付けられた第２の時間量を示す第３の情報と、
前記第１の睡眠セッションに関連付けられたおよその起床時間を示す第４の情報と、
のうちの少なくとも１つを含む、請求項１０に記載のシステム。
【請求項１５】
前記１つ又は複数のプロセッサが前記１つ又は複数の基準睡眠メトリックを受信することは、前記１つ又は複数のプロセッサが、前記機械可読命令によって、
ユーザ睡眠履歴データベースから、前記１つ又は複数の前の睡眠セッションから得られた前記前のユーザデータを受信することと、
基準睡眠データベースから、前記ユーザに関連付けられた１つ又は複数の睡眠パラメータを表す基準ユーザデータを受信することと、
のうちの少なくとも１つを行うことをさらに含む、請求項１０に記載のシステム。
【請求項１６】
前記１つ又は複数のプロセッサが、前記機械可読命令によって、さらに、
ユーザ履歴データベースを用いて、前記第１のユーザデータ、前記１つ又は複数の睡眠メトリック、及び前記第１の睡眠セッションスコア値のうちの少なくとも１つを記憶し、前記１つ又は複数の基準睡眠メトリックが、前記第１のユーザデータ、前記１つ又は複数の睡眠メトリック、及び前記第１の睡眠セッションスコア値のうちの前記少なくとも１つに、少なくとも部分的に基づいて更新される、請求項１０に記載のシステム。
【請求項１７】
前記１つ又は複数のプロセッサが、前記機械可読命令によって、さらに、
前記ユーザに提供される少なくとも１つのユーザ質問に対するフィードバックを表すフィードバックデータを受信し、
前記フィードバックデータに基づいて、１つ又は複数の第２の即値を決定し、前記第１の睡眠セッションスコア値が、前記１つ又は複数の第２の即値にさらに基づき、
１つ又は複数の後続の睡眠セッションスコア値の生成に適用されるべき前記１つ又は複数の第２の即値を記憶する、請求項１０に記載のシステム。
【請求項１８】
前記１つ又は複数のプロセッサが、前記機械可読命令によって、さらに、
前記１つ又は複数の第２の即値に基づいて、前記１つ又は複数の後続の睡眠セッションスコア値を改善するために使用されるべき１つ又は複数の睡眠介入を決定し、
少なくとも１つの睡眠介入デバイスに、前記ユーザの第２の睡眠セッション中に前記１つ又は複数の睡眠介入を提供させる、請求項１７に記載のシステム。
【請求項１９】
ユーザのための睡眠改善を促進するシステムであって、前記システムが、
１つ又は複数のセンサから、ユーザの第１の睡眠セッションに関連付けられた第１のユーザデータを受信する手段と、
前記第１の睡眠セッション中に発生した少なくとも１つの介入を決定する手段であって、前記決定が前記第１のユーザデータの利用を含み、前記少なくとも１つの介入が、少なくとも１つの可聴音、少なくとも１つの視覚信号、少なくとも１つの触覚信号、及び少なくとも１つの環境介入のうちの１つを含む、決定する手段と、
前記第１のユーザデータに基づいて、前記第１の睡眠セッションに関連付けられた１つ又は複数の第１の睡眠メトリックを決定する手段と、
１つ又は複数の基準睡眠メトリックを決定する手段であって、前記１つ又は複数の基準睡眠メトリックが、１つ又は複数の前の睡眠セッションから得られた前のユーザデータに基づく、決定する手段と、
前記第１の睡眠セッションに関連する１つ又は複数の第１の即値を決定する手段であって、前記１つ又は複数の第１の即値の前記決定が、前記１つ又は複数の第１の睡眠メトリックと前記１つ又は複数の基準睡眠メトリックとの比較に基づき、正又は負の値である１つ又は複数の控除が前記１つ又は複数の第１の即値に対応する、決定する手段と、
前記第１の睡眠セッションに関連する前記１つ又は複数の第１の即値に基づいて第１の睡眠セッションスコア値を生成する手段であって、前記生成が、１つ若しくは複数の控除の初期睡眠セッションスコア値への加算、又は前記１つ若しくは複数の控除の初期睡眠セッションスコア値からの減算を含む、生成する手段と、
前記第１の睡眠セッションスコア値に少なくとも一部基づいて、前記ユーザの後続の睡眠セッションを改善するために提供されるべき第１の介入を決定する手段であって、前記第１の睡眠セッションスコア値が睡眠セッションスコア閾値より小さいときに、前記第１の介入が必要であることの決定を含み、前記提供されるべき第１の介入が、前記後続の睡眠セッション中に聴覚刺激デバイスによって提供されるべき少なくとも１つの可聴音、前記後続の睡眠セッション中に視覚刺激デバイスによって提供されるべき少なくとも１つの視覚信号、前記後続の睡眠セッション中に触覚刺激デバイスによって提供されるべき少なくとも１つの触覚信号、及び前記後続の睡眠セッション中に環境制御デバイスによって提供されるべき少なくとも１つの環境介入のうちの１つを含む、決定する手段と、
前記第１の睡眠セッションスコア値及び前記１つ又は複数の第１の睡眠メトリックを、出力デバイスを介して提示させる手段と、
を備える、システム。
【請求項２０】
第１の睡眠セッションスコア閾値を受信する手段と、
前記第１の睡眠セッションスコア値及び前記第１の睡眠セッションスコア閾値に基づいて、前記ユーザの後続の睡眠セッションを改善するために提供されるべき第１の睡眠介入を決定する手段と、
前記第１の睡眠介入を提供するための少なくとも１つの睡眠介入デバイスを決定する手段と、
前記第１の睡眠介入が前記第１のユーザデータに基づいて第１の時間に実行されるための第１の命令を生成する手段と、
前記第１の時間の前に、前記第１の命令を前記少なくとも１つの睡眠介入デバイスに送信する手段と、
をさらに備える、請求項１９に記載のシステム。